(57)【特許請求の範囲】
【請求項１】
間隔を隔てて配置された一対の光ファイバホルダ台間に、そのホルダ台に沿って移動する切断刃が配置され、両ホルダ台間に跨って配置される光ファイバを前記切断刃の移動によって傷付け、光ファイバを切断するための光ファイバ切断器における前記切断刃の前記ホルダ台の表面からの高さを所定値Δに調整する光ファイバ切断器の刃高調整方法において、中央部外周表面が前記所定値Δの前と後に減径加工された２種類の円柱状測定ゲージを前記ホルダ台間に跨って配置し、切断刃の移動によって切断刃が前記ホルダ台に搭載された一方の測定ゲージの中央部外周に接触せず、他方の測定ゲージの中央部外周に接触するように切断刃の高さを調整することを特徴とする光ファイバ切断器の刃高調整方法。
【請求項２】
請求項１に記載の光ファイバ切断器の刃高調整方法に使用される光ファイバ切断器の刃高調整冶具であって、前記ホルダ台間に跨って搭載され、中央部外周表面が前記所定値Δの前と後に減径加工された２種類の円柱状測定ゲージであることを特徴とする光ファイバ切断器の刃高調整冶具。
【発明の詳細な説明】
【技術分野】
【０００１】
本発明は、光ファイバを切断する光ファイバ切断器における切断刃の高さを調整する刃高調整治具及びそれを用いた刃高調整方法に関する。
【背景技術】
【０００２】
一般に、光ファイバ相互、光ファイバと他の光学部品等とを光学的に接続するには、予め光ファイバの端部をその光ファイバの軸心に対して垂直に切断することが行われる。この切断には、一般に光ファイバ切断器が用いられる。
【０００３】
図３は光ファイバ切断器１の概念図を示したもので、互いに並列に配置された一対の光ファイバホルダ台２・２上に光ファイバ３を載置し、光ファイバホルダ台２・２上の光ファイバ３を図示しないホルダ蓋で押えて光ファイバ３を光ファイバホルダ台２・２上に固定し、この状態で光ファイバホルダ台２・２の面よりも高さが若干高い、例えば高さｔに調整された切断刃４を図示の実線の位置から点線の切断刃４'の位置まで、光ファイバ３の軸線を直角に横断するように移動させることにより、光ファイバ３の表面に傷を付け光ファイバ３を切断するものである。
【０００４】
この光ファイバの切断を行う際、切断刃４の高さｔは適切な値でなければ、光ファイバ３を適切に切断することができない。即ち、高さｔが小さいときは光ファイバ３を切断することができず、また、大きいときは光ファイバ３の切断面に不要な傷を付けて切断面を損傷してしまう。このため、切断刃４の高さｔは光ファイバ３の切断作業の前に適切な値に調整する必要がある。（例えば、特許文献１〜２参照）
通常、上記切断刃４の高さｔは２０〜３０μｍとなるように調整される。なお、この調整作業は、図示しない刃高調整ねじを回転させることにより行われる。
【０００５】
図４は特許文献２に記載された調整方法の一例を示したものである。図４において、１１は刃高調整治具であり、刃高調整治具１１は中央部に溝１２が形成された平板形状をしており、その溝１２の一端側１３が調整しようとする切断刃４の高さよりも多く削られ、他端側１４が調整される切断刃４の高さよりも少なく削られ、中央部１５が刳り貫かれた形状を成している。そしてこれを使用して切断刃４の高さを調整する場合には、図５に示すように、溝を下側にして溝が切断刃の移動方向と平行になるように光ファイバホルダ台２・２上に載置し、この状態で溝が多く削られた方向から少なく削られた方向に切断刃を移動させて、切断刃が多く削られた箇所を通過し、少なく削られた箇所を通過しないような高さに調整される。これにより、切断刃４を上記削られた範囲内に高さが調整される。
【０００６】
また、切断刃４の刃高を図６に示すような刃高調整治具３０によって行うことも行われていた。即ち、始めに、図６イに示すように、刃高調整治具３０の底面３１を平面度の保たれた基準面３２上に接触させて配置し、この状態で摘み３３を回動させて指示針３４をゼロに合わせる。これによって、刃高調整治具３０の底面３１と触針３５の先端３５'とが同一面でゼロに調整されたことになる。次に図６ロに示すように、刃高調整治具３０の底面３１を光ファイバホルダ台２上に載置して、切断刃４を触針３５の先端３５'に軽く接触するように位置合わせを行い、ダイヤルゲージの目盛りが目的の高さになるように切断刃の高さを調整する。
【０００７】
【特許文献１】特開2001-311832公報
【特許文献２】特開2001-322086公報
【発明の開示】
【発明が解決しようとする課題】
【０００８】
しかしながら、図４に示した刃高調整治具１１は、中央部に溝１２が形成された平板形状をしており、その溝１２の一端側１３が調整しようとする切断刃４の高さよりも多く削られ、他端側１４が調整される切断刃４の高さよりも少なく削られ、中央部１５が刳り貫かれた複雑な形状を成しており、これを構成するための加工が複雑で、加工製作が高価になるという課題があった。また、刃高調整治具１１は平板形状を成しているため、刃高調整過程で切断刃４を移動させて刃高を調べる際に切断刃が刃高調整治具１１に当たった際、刃高調整治具１１が平板形状を成していることから刃高調整治具１１が容易に移動することが困難であり、切断刃に傷を付けてしまうことの課題があった。
【０００９】
また一般にホルダ台は図７に示すようにホルダ台の表面にゴム部材等の弾性部材２'が貼り付けられており、研磨工程によって弾性部材２'をホルダ台２の表面と同一平面となるように研磨しようとしても、研磨工程で弾性部材２'の変形により、弾性部材２'が歪み、このため、弾性部材２'の表面がホルダ台２の表面よりも若干高くなるように加工される。このため、上記刃高調整治具１１をホルダ台２の上に乗せた際、実質的に弾性部材２'の表面にホルダ台２が載せられる形となり、この結果、ホルダ台２からの高さに調整されることになる。この結果、実際に光ファイバ３をホルダ台２に載せられた際には光ファイバ３の接触面は弾性部材２'の変形によりホルダ台２の表面と同一にセットされたものと異なり、正確に調整されないという課題があった。なお、弾性部材２'の表面が上記のようにホルダ台２の表面よりも若干高くなるように加工されるても、実際の光ファイバ切断時においては、光ファイバ３は若干高くなるように形成された弾性部材２'を窪ませて、弾性部材２'周囲のホルダ台２の表面に接するように戴置されるので、問題になることがない。
【００１０】
また、図６に示す刃高調整治具３０は、ホルダ台間に停止させられた切断刃４の頂点と刃高調整治具３０の触針３５とを合わせて測定する方法が、切断刃の頂点と触針３５とが共に狭い面積であるために両者を探し求めることが難しく、調整時間に長時間を要するという課題があった。また、切断刃４を移動させての高さを調整する方法も考えられるが、この場合は切断刃４の刃高を調整する際、切断刃４が触針３５にぶつかった際に、刃高調整治具３０がホルダ台上で容易に移動することができず、切断刃４に傷が付くという課題が発生する。また、更に前記弾性部材２'の存在により正しく刃高が調整されないという課題があった。
【課題を解決するための手段】
【００１１】
本発明は、かかる点に鑑みなされたもので、その第１の発明は、間隔を隔てて配置された一対の光ファイバホルダ台間に、そのホルダ台に沿って移動する切断刃が配置され、両ホルダ台間に跨って配置される光ファイバを前記切断刃の移動によって傷付け、光ファイバを切断するための光ファイバ切断器における前記切断刃の前記ホルダ台の表面からの高さを所定値Δに調整する光ファイバ切断器の刃高調整方法において、中央部外周表面が前記所定値Δの前と後に減径加工された２種類の円柱状測定ゲージを前記ホルダ台間に跨って配置し、切断刃の移動によって切断刃が前記ホルダ台に搭載された一方の測定ゲージの中央部外周に接触せず、他方の測定ゲージの中央部外周に接触するように切断刃の高さを調整することを特徴とする光ファイバ切断器の刃高調整方法である。
【００１２】
更に第２の発明は、上記第１の発明である光ファイバ切断器の刃高調整方法に使用される光ファイバ切断器の刃高調整冶具であって、前記ホルダ台間に跨って搭載され、中央部外周表面が前記所定値Δの前と後に減径加工された２種類の円柱状測定ゲージであることを特徴とする光ファイバ切断器の刃高調整冶具である。
【発明の効果】
【００１３】
本願は上記第１の発明によって、断面外周形状が円形に構成されているため、切断刃が刃高調整治具にぶつかっても容易に刃高調整治具が回転して切断刃に傷を付けることがなく、また、構造が簡単なため、安価にこれを構成することができる。
また、第２の発明によって、それぞれの刃高調整治具に形成された減径加工の大きさの間に切断刃に傷を付けることなく、正確に切断刃の高さを調整することができる特徴を有する。
【発明を実施するための最良の形態】
【００１４】
図１は本発明の一実施形態における刃高調整治具３０を示すものである。刃高調整治具は、中央部３１の外周表面が減径加工された円柱体で形成されている。この減径加工の大きさｙは調整される切断刃の高さ付近の大きさに形成される。刃高調整治具３０は所定径Ｄの大きさの円柱体、例えばステンレス材製からなる棒状体を回転旋盤によって保持し、その中央部の外周を削ることによって作成される。このようにして作成される刃高調整治具３０は表１に示すように、切断刃の高さ調整される値付近のものが複数種作成される。
【００１５】
【表１】
0004652945.tif 000002
【００１６】
図２は本実施形態の刃高調整治具３０を用いて切断刃の刃高を調整する手段を説明するためのものである。ここで例えば、切断刃の高さを２５〜３０μｍの高さに調整する場合について説明する。
【００１７】
始め、始め表１中のNo.３の刃高調整治具３０を選択して、図示のように、No.３の刃高調整治具３０を弾性部材２'が配置されていないホルダ台２上に配置し、ここで、切断刃４を実線の位置から破線で示される切断刃４'まで移動させる。この際、切断刃４が刃高調整治具３０にぶつかっても刃高調整治具３０の外径形状が円形に構成されているため、刃高調整治具３０は容易に回転して切断刃から逃げることができる。このため、切断刃４は傷が付くことが無い。このようにして、No.３の刃高調整治具３０の縮径部分を切断刃が通過できるように、切断刃を図示しない刃高調整摘みを回転させることにより、切断刃を調整する。
【００１８】
次にNo.２の刃高調整治具３０を選択して、上記No.３の刃高調整治具３０と同様にセットして切断刃４の移動を前記と同様に行う。これによって、切断刃４がNo.２の刃高調整治具３０の減径部分を通過可能かどうかを調べる。ここで切断刃がNo.２の刃高調整治具３０にぶつかる（刃高調整治具３０が動いたり、回転したりする）場合は、切断刃の高さが２５〜３０μｍの高さに調整されたことになる。ここでもし、切断刃４がNo.２の刃高調整治具３０にぶつからない場合は、再度上記No.３の刃高調整治具３０が通過可能でNo.２の刃高調整治具３０が通過しないようになるまで切断刃の高さを調整する。
【００１９】
切断刃の高さが２５〜３０μｍ以外の高さに調整する場合は、それぞれ他の組み合わせの刃高調整治具３０を用いて同様にして調整される。
【００２０】
本実施形態の刃高調整治具３０は上記のとおり、外周形状が円形になっている。このため、切断刃の刃高調整において、切断刃が刃高調整治具３０にぶつかっても刃高調整治具３０は容易に回転し、この結果、切断刃に傷を付けることが無い。
また、この調整時に切断刃が刃高調整治具３０にほんの僅かに接触した場合であっても、刃高調整治具３０が容易に動くのでその接触を容易に把握することができ、正確に高さ調整を行うことができる。
更に、本実施形態のように、刃高調整治具３０を弾性部材２'が配置されていないホルダ台２上に配置することにより、弾性部材２'の影響を受けずに高さ調整することができ、その高さの範囲を正確に設定することができる。
【図面の簡単な説明】
【００２１】
【図１】本発明の刃高調整治具の一実施形態を示す正面図。
【図２】本発明の刃高調整方法の一実施形態を説明するためのもので、イは平面説明図、ロは側面説明図。
【図３】一般的な光ファイバ切断器の一例を示すもので、イは平面説明図、ロは側面説明図。
【図４】従来の一例を示す斜視図。
【図５】上記図４の使用時における側面説明図。
【図６】従来の他の例を説明するためのもので、イは正面図、ロは要部拡大説明図。
【図７】一般的なホルダ台を示すもので、イは平面説明図、ロは側面説明図。
【符号の説明】
【００２２】
１    光ファイバ切断器
２    ホルダ台
２'    弾性部材
３    光ファイバ
４    切断刃
３０    刃高調整治具
３１    底面
３１    中央部
３２    基準面
３４    指示針
３５    触針
３５'    先端
【図１】
0004652945.tif 000003
【図２】
0004652945.tif 000004
【図３】
0004652945.tif 000005
【図４】
0004652945.tif 000006
【図５】
0004652945.tif 000007
【図６】
0004652945.tif 000008
【図７】
0004652945.tif 000009